(57)【要約】【課題】車両の利用者が、該利用者の生活圏外の人であって前記利用者の属性に類似した属性を持つ地域人（地元民）が利用したＰＯＩ情報をリコメンドとして受けることができるサーバを提供する。【解決手段】サーバ１０のＰＯＩ情報提供部７０は、生活圏内外判定部９３により車両１４Ａが生活圏外にいると判定している場合に、属性設定部７５により設定された利用者２６Ａの属性に類似した属性を持つ人が、生活圏外の地域２０Ｂの人である場合に、地域２０Ｂの人が車両１４Ｂで利用した前記生活圏外の地域２０ＢのＰＯＩ情報を提供する。【選択図】図１
2020153919.tif 000002
【特許請求の範囲】
【請求項１】
複数の車両に通信網を介して接続され前記車両の利用者にＰＯＩ情報を提供するサーバにおいて、
前記車両の訪問履歴に基づいて前記利用者の属性を設定する属性設定部と、
前記車両の走行履歴に基づき前記車両が生活圏内にいるか生活圏外にいるかを判定する生活圏内外判定部と、
ＰＯＩ情報提供部と、を備え、
前記ＰＯＩ情報提供部は、
前記生活圏内外判定部により前記車両が生活圏外にいると判定している場合に、前記属性設定部により設定された前記利用者の属性に類似した属性を持つ人が、前記生活圏外の地域の人である場合に、前記地域の人が車両で利用した前記生活圏外の地域のＰＯＩ情報を提供する
サーバ。
【請求項２】
請求項１に記載のサーバにおいて、
さらに、経路探索部を備え、
前記ＰＯＩ情報提供部は、
前記経路探索部により推奨経路が設定されていない場合に、前記地域の人が利用した前記ＰＯＩ情報を提供する
サーバ。
【請求項３】
請求項１に記載のサーバにおいて、
さらに、経路探索部を備え、
前記経路探索部により前記利用者の前記車両に搭載されたナビゲーション装置に推奨経路が設定されていて前記利用者の車両が前記生活圏外にあって目的地に向かっている場合、
前記ＰＯＩ情報提供部は、
前記目的地を含む地域の人が車両で利用したＰＯＩ情報を、前記目的地を含む地域内で提供すると共に、前記目的地を含む地域に至る前の前記生活圏外の地域では、前記属性設定部により設定された前記利用者の属性に類似した属性を持つ他の利用者が、該利用者の車両で利用した前記目的地を含む地域外の前記生活圏外の地域で立ち寄ったＰＯＩ情報を提供する
サーバ。
【発明の詳細な説明】
【技術分野】
【０００１】
この発明は、複数の車両に通信網を介して接続され前記車両の利用者にＰＯＩ（Point Of Interest）情報、すなわち施設情報を提供するサーバに関する。
【背景技術】
【０００２】
例えば、特許文献１には、旅行先で、性別及び年齢の近い地元の人しか知らない、評判のよいケーキ屋さん等の情報（ＰＯＩ情報）を入手することの可能な情報を、端末ユーザが入手することができると開示されている（特許文献１の［０００７］）。
【先行技術文献】
【特許文献】
【０００３】
【特許文献１】特開２００２−５６０２４号公報
【発明の概要】
【発明が解決しようとする課題】
【０００４】
しかしながら上記特許文献１に開示された技術では、インターネットに固定接続されたコンピュータ、モバイルコンピュータや移動体電話等の端末のユーザがＰＯＩ情報を入手することができるに過ぎなく、車両の利用者にＰＯＩ情報を提供することができない。
【０００５】
この発明は、このような課題を考慮してなされたものであって、通信網を介して接続される車両の利用者が、該利用者の生活圏外で該利用者の属性に類似した属性を持つ地域人（地元者、地元民）が利用したＰＯＩ情報を受けることを可能とするサーバを提供することを目的とする。
【課題を解決するための手段】
【０００６】
この発明の一態様は、
複数の車両に通信網を介して接続され前記車両の利用者にＰＯＩ情報を提供するサーバにおいて、
前記車両の訪問履歴に基づいて前記利用者の属性を設定する属性設定部と、
前記車両の走行履歴に基づき前記車両が生活圏内にいるか生活圏外にいるかを判定する生活圏内外判定部と、
ＰＯＩ情報提供部と、を備え、
前記ＰＯＩ情報提供部は、
前記生活圏内外判定部により前記車両が生活圏外にいると判定している場合に、前記属性設定部により設定された前記利用者の属性に類似した属性を持つ人が、前記生活圏外の地域の人である場合に、前記地域の人が車両で利用した前記生活圏外の地域のＰＯＩ情報を提供する。
【発明の効果】
【０００７】
この発明によれば、車両の利用者が、該利用者の生活圏外の人であって利用者の属性に類似した属性を持つ地域人（地元民）が利用したＰＯＩ情報を受けることができる。
【図面の簡単な説明】
【０００８】
【図１】図１は、実施例に係るサーバを備えるＰＯＩ情報提供システムの構成図である。
【図２】図２は、車両に搭載されたナビゲーション装置の構成を示すブロック図である。
【図３】図３は、サーバの構成を示すブロック図である。
【図４】図４は、地域利用者フィルタ部の動作説明図である。
【図５】図５は、類似利用者選択部の動作説明図である。
【図６】図６は、地域利用者選定部の動作説明図である。
【図７】図７は、変形例に係るサーバを備えるＰＯＩ情報提供システムの構成図である。
【発明を実施するための形態】
【０００９】
この発明に係るサーバについて実施形態を挙げ、添付の図面を参照して以下に詳細に説明する。
【００１０】
［実施例］
［構成］
図１は、実施例に係るサーバ１０を備えるＰＯＩ情報提供システム１２の構成例を示している。
【００１１】
ここで、ＰＯＩ（Point Of Interest）情報（施設情報ともいう。）とは、レストラン、ランドマーク及び観光スポット等の、誰かが興味がある所と思った特定の場所を示す情報（緯度・経度の地図情報を含む。）である。
【００１２】
図１に示すように、ＰＯＩ情報提供システム１２は、車両１４（１４Ａ）に搭載されたナビゲーション装置１６（１６Ａ）と、他の車両１４（１４Ｂ）に搭載されたナビゲーション装置１６（１６Ｂ）と、ナビゲーション装置１６（１６Ａ、１６Ｂ）に通信網２２を介して接続されたサーバ１０とから構成されている。
【００１３】
車両１４（１４Ａ）のナビゲーション装置１６Ａは、地域２０（２０Ａ）内に家２４（２４Ａ）、例えば自宅があり地域２０Ａを生活圏とする利用者２６（２６Ａ）により利用される。
【００１４】
他の車両１４（１４Ｂ）に搭載されたナビゲーション装置１６Ｂは、地域２０Ｂ（例として観光地域）内に家２４（２４Ｂ）、例えば自宅があり地域２０Ｂを生活圏とする利用者２６（２６Ｂ）により利用される。
【００１５】
図２は、車両１４（１４Ａ、１４Ｂ、…）に搭載されたナビゲーション装置１６（１６Ａ、１６Ｂ、１６Ｃ…）の構成を示すブロック図である。
【００１６】
図３は、サーバ１０の構成を示すブロック図である。
【００１７】
図２に示すように、ナビゲーション装置１６は、通信端末１８を有し、該通信端末１８は、ナビゲーション装置本体部（ナビゲーションＥＣＵ）１７に接続されると共に図示しない基地局を含む通信網２２を通じてサーバ１０に無線接続される（図１）。
【００１８】
ナビゲーション装置１６は、ナビゲーション装置本体部と、このナビゲーション装置本体部に接続される入力部（入力装置、タッチパネル）３４、ディスクドライブ（記録媒体読取装置）３５、表示部（モニタ、ディスプレイ等の画像表示装置）３２、スピーカ（音声出力装置）３６、ＧＰＳ装置３８、振動ジャイロ３９及び車速センサ４０と、を備える。
【００１９】
ここで、表示部３２は、目的地への経路探索の結果の推奨経路及びＰＯＩ情報等を地図上に表示する液晶表示器等から構成され、入力部３４は、例えば、表示部３２上のタッチパネル（タッチスクリーン）等により構成される。ディスクドライブ３５は、例えば、ＰＯＩ情報を含む地図情報が記録された記録媒体であるＣＤ、ＤＶＤ、ＢＤ等の各ディスクを再生することができる。
【００２０】
ナビゲーション装置本体部は、マイクロコンピュータを含む計算機であり、ＣＰＵ（中央処理装置）、メモリ（記憶部）であるＲＯＭ（ＥＥＰＲＯＭも含む。）、ＲＡＭ（ランダムアクセスメモリ）、その他、Ａ／Ｄ変換器、Ｄ／Ａ変換器等の入出力装置、及び計時器（計時手段）としてのタイマ等を有しており、ＣＰＵがＲＯＭに記録されているプログラムを読み出し実行することで各種機能実現部（機能実現手段）、例えば制御部、演算部、処理部等として機能する。
【００２１】
サーバ１０も同様に計算機であり、制御部、演算部、処理部等として機能する他、通信部を有する。
【００２２】
この実施形態において、ナビゲーション装置本体部は、道路情報及びＰＯＩ情報（施設情報）を含む地図情報を記憶する地図情報記憶部４１と、目的地設定部４２と、車両１４の現在地から目的地までの経路探索を行い推奨経路を設定し得る経路探索部４３と、目的地に設定され実際に訪問されたＰＯＩ地点を履歴として記憶する訪問履歴部４４と、を備える。
【００２３】
ナビゲーション装置１６は、地図情報記憶部４１に記憶されている地図情報に基づいて、目的地設定部４２を参照し入力部３４を通じて利用者により設定された目的地までの推奨経路を経路探索部４３により探索し、探索された推奨経路に従って利用者が乗った車両１４を誘導することにより、目的地まで利用者を案内する経路案内をする。
【００２４】
ナビゲーション装置１６は、現在地検出部等として機能する現在地検出装置（現在位置検出装置）３７を備える。現在地検出装置３７は、自車両１４の現在地を検出する装置であり、自車両１４の進行方位を検出する振動ジャイロ３９、車速を検出する車速センサ４０、ＧＰＳ衛星からのＧＰＳ信号を検出するＧＰＳ装置３８等から構成される。
【００２５】
ナビゲーション装置１６は、この現在地検出装置３７により検出された自車両１４の現在地に基づいて、推奨経路を探索するときの経路探索開始点を決定することができる。また、ナビゲーション装置１６は、表示部３２に表示された地図上、車両１４の現在地に自車アイコンを表示する。
【００２６】
図３に示すように、サーバ１０は、ナビゲーション装置１６のナビゲーション装置本体部と同等以上の機能を有し、且つより高精度の地図情報｛道路情報及びＰＯＩ情報を含む。｝を記憶している経路探索部としてのナビゲーション部１１７を備える。
【００２７】
この場合、サーバ１０のナビゲーション部１１７及びナビゲーション装置１６の地図情報記憶部４１に記憶されている地図情報には、推奨経路を演算するために用いられる経路計算情報や、交差点名称、道路名称等、推奨経路に従って自車両を目的地まで案内するために用いられる経路誘導情報、道路形状を表す道路情報、さらには海岸線や河川、鉄道、建物等、道路以外の地図形状を表す背景情報、及びＰＯＩ情報等が含まれている。
【００２８】
上述したように車両１４のナビゲーション装置１６において、目的地設定部４２を参照して入力部３４の利用者の操作によって目的地が設定されると、現在地検出装置３７により検出された自車両１４の現在地を経路探索開始点として、設定された目的地までの経路演算が経路計算情報に基づいて所定のアルゴリズムにより経路探索部４３で行われ、経路探索開始点と目的地との間の経路が探索され、目的地までの推奨経路が求められる。
【００２９】
なお、車両１４のナビゲーション装置１６において、目的地設定部４２を参照して入力部３４の利用者の操作による目的地が設定されると、設定された目的地が通信端末１８、通信網２２を通じてサーバ１０のナビゲーション部１１７に設定される。この場合、ナビゲーション部１１７は、推奨経路を探索し、探索した目的地までの推奨経路を、通信端末１８を通じ、車両１４のナビゲーション装置本体部を介して車両１４の表示部３２上に表示させることができる。
【００３０】
この場合、サーバ１０に、通信網２２、通信端末１８を介して接続されたナビゲーション装置本体部を通じて、推奨経路と推奨経路付近の地図が表示部３２に表示されて経路案内が実行され、推奨経路に従ってナビゲーション装置１６を介してスピーカ３６による音声ガイダンスと表示部３２上の表示を利用して右左折の指示等が適宜行われる。
【００３１】
サーバ１０は、ナビゲーション部１１７の他、地域利用者フィルタ部５０、類似利用者選択部５２、地域利用者選定部５４、属性設定部７５、及び格納部（記憶部）５６を備える。
【００３２】
地域利用者フィルタ部５０は、通信網２２を介して接続された車両１４毎の地域２０（生活圏等）を判定する生活圏判定部９４及び車両１４毎の地域２０からの逸脱を判定する生活圏逸脱判定部９６を備える。生活圏判定部９４と生活圏逸脱判定部９６とにより生活圏内外判定部９３が構成される。
【００３３】
地域利用者選定部５４は、ＰＯＩ情報提供部７０を備える。
【００３４】
格納部５６には、車両１４（１４Ａ、１４Ｂ、１４Ｃ、・・・）の利用者２６（２６Ａ、２６Ｂ、２６Ｃ、・・・）毎の属性データベース（属性ＤＢ）７６（７６Ａ、７６Ｂ、７６Ｃ、・・・）と、利用者２６毎の地元者（地元民）としての行動データベース（地元者行動ＤＢ）７２（７２Ａ、７２Ｂ、７２Ｃ、・・・）及び利用者２６毎の旅行者としての行動データベース（旅行者行動ＤＢ）７４（７４Ａ、７４Ｂ、７４Ｃ、・・・）が格納される。
【００３５】
属性ＤＢ７６には、属性設定部７５により利用者２６毎の属性データが格納される。属性データとして格納される属性としては、利用者２６のソーシャルネットワークシステム（ＳＮＳ）等の利用に基づく利用者２６の番地を除く住所、男性か女性か、及び年齢等の運転者属性、運転者の家族構成等の家族属性の他、利用者２６の車両１４のフローティングカーデータ（ＦＣＤ）に基づく、運転者の過去ＰＯＩ訪問履歴を示す過去ＰＯＩ訪問履歴属性が格納される。過去ＰＯＩ訪問履歴属性としては、具体的に訪問した店のイタリアン、カレー等の料理に関連するＰＯＩカテゴリ嗜好属性が格納される。
【００３６】
［動作］
次に、基本的には以上のように構成されるＰＯＩ情報提供システム１２のサーバ１０の動作を中心として説明する。なお、この動作の説明では、理解の便宜のために、地域２０Ａを生活圏とする車両１４Ａの利用者（運転者）２６Ａが、地域２０Ｂを生活圏（観光地域）とする車両１４Ｂの利用者（運転者）２６Ｂが利用している地域２０Ｂ内でのＰＯＩを訪問することとして説明する。
【００３７】
［地域利用者フィルタ部５０］
図４に示すように、まず、サーバ１０の地域利用者フィルタ部５０は、車両１４Ａの訪問履歴部４４に含まれるＰＯＩ情報と位置情報、経路情報を示すフローティングカーデータ（ＦＣＤ）８０を通信端末１８、通信網２２を介して吸い上げ、吸い上げたＦＣＤ８０に対し生活圏判定部９４により生活圏ラベリング処理を行い、生活圏（地域）と生活圏外（地域外）に分けた利用者２６ＡのＦＣＤ８０´を作成する。
【００３８】
生活圏とされる地域２０Ａは、例えば、家２４Ａから数ｋｍ圏内のよく利用する地元のスーパ、利用者の会社（市役所）、料理店等を含む範囲に設定（画定、判定）される。
【００３９】
同様に、サーバ１０の地域利用者フィルタ部５０は、他の車両１４Ｂの訪問履歴部４４に含まれるＰＯＩ情報と位置情報、経路情報を示すＦＣＤ８０を通信端末１８、通信網２２を介して吸い上げ、吸い上げたＦＣＤ８０に対し生活圏判定部９４により生活圏ラベリング処理を行い、生活圏（観光地域）と生活圏外（観光地域外）に分けた利用者２６ＢのＦＣＤ８０´を作成する。
【００４０】
利用者２６Ｂの生活圏とされる地域２０Ｂは、例えば、家２４Ａから数ｋｍ圏内のよく利用する地元のスーパ、利用者の会社（市役所）、ランドマーク９０、料理店９２等を含む範囲に設定される。地域２０Ｂ内の遊園地９５は、利用者２６ＢのＰＯＩ情報として吸い上げられることはない（図１参照）。
【００４１】
同様にして他の地域において、さらに他の車両１４Ｃの利用者２６ＣのＦＣＤ８０´が作成される。
【００４２】
次に、サーバ１０の地域利用者フィルタ部５０は、生活圏ラベリング処理がなされたＦＣＤ８０´を、生活圏逸脱判定部９６によりノイズ及び個人情報（名前等）を除去した利用者２６Ａ（２６Ｂ）の地元者としての地域２０Ａ（２０Ｂ）内の行動を格納した地元者行動データベース（地元者行動ＤＢ）７２Ａ（７２Ｂ）と、旅行者としての地域２０Ａ外の行動を確認した旅行者行動データベース（旅行者行動ＤＢ）７４Ａ（７４Ｂ）に分けて格納部５６（図３）に格納する。
【００４３】
生活圏判定部９４と生活圏逸脱判定部９６により生活圏内外判定部９３が形成される。
【００４４】
地域利用者フィルタ部５０により利用者２６毎の地元者としての地元者行動ＤＢ７２及び旅行者としての旅行者行動ＤＢ７４が作成され格納部５６に格納される。
【００４５】
［類似利用者選択部５２］
図５に示すように、ＦＣＤ８０´中の現在地検出装置３７により検出されている、利用者２６Ａの車両１４Ａの現在位置（緯度、経度）が、生活圏逸脱判定部９６により地域２０Ａを逸脱したと判定されると、ＦＣＤ８０´から、進入する地域（進入地域）及び走行履歴が類似利用者選択部５２で取得される。
【００４６】
ここで、進入地域が地域２０Ｂであることが検出されると、類似利用者選択部５２は、スパース行列分解手法等により利用者２６Ａの属性データベース７６Ａに格納されている属性に類似する進入地域である地域２０Ｂを生活圏とする利用者２６Ｂの地元者行動ＤＢ７２Ｂと、利用者２６Ａの属性データベース７６Ａに格納されている属性に類似する進入地域である地域２０Ｂに旅行者として訪問した利用者２６Ｃの旅行者行動ＤＢ７２Ｃを選択し、類似嗜好利用者データベース（類似嗜好利用者ＤＢ）１０２を作成して格納部５６に格納する。
【００４７】
［地域利用者選定部５４］
図６に示すように、ＦＣＤ８０´中の現在地検出装置３７により検出されている、利用者２６Ａの車両１４Ａの現在位置（緯度、経度）が、地域利用者選定部５４により、地域２０Ｂ内に進入したあるいは目的地情報から進入予定であることが確認されると、地域利用者選定部５４のＰＯＩ情報提供部７０は、類似嗜好利用者ＤＢ１０２を参照し、候補ＰＯＩ情報及び候補経路を、随時、通信網２２、通信端末１８を通じ利用者２６Ａのナビゲーション装置本体部を介して表示部３２の地図上に表示させる。
【００４８】
［効果］
上記した実施例によれば、ターゲットユーザーとしての利用者２６Ａの車両１４Ａが、生活圏逸脱判定部９６により生活圏（行動圏）逸脱判定を受けた場合に、類似利用者選択部５２は、走行・訪問ＰＯＩの履歴情報である地元者行動ＤＢ７２Ｂ及び旅行者行動ＤＢ７４Ｃからスパース行列分解手法等を用いて類似嗜好利用者を選定する。なお、旅行者属性：地元民属性は、例えば１対１とする。
【００４９】
そうすると、利用者２６Ａに対して、複数の類似嗜好利用者２６Ｂ、２６Ｃから、利用者２６Ａが走行時にリアルタイムに目的地・経路・ＰＯＩ情報を、表示部３２上に複数案リコメンドし、リコメンド理由（地元者おすすめＰＯＩ、例えば、子連れの類似利用者訪問ＰＯＩ等）が提示される。
【００５０】
これにより、利用者２６Ａは、旅行時に煩雑な作業をしないで、利用者２６Ａに類似した属性を有する利用者２６Ｂ、２６Ｃの行動パターンに沿う、利用者２６Ａの嗜好にあった観光スポットや経路を車載のナビゲーション装置１６の表示部３２での地図上に表示することができる。
【００５１】
利用者２６Ａの嗜好にあった地元者・旅行者としての利用者２６Ｂ、２６Ｃが、よく行くスポットを紹介（リコメンド）することで、利用者２６Ａが満足感のある旅行にすることができる。
【００５２】
地元者の利用者２６Ｂがよく訪れる飲食店を表示することができる。その際、地元者の利用者２６Ｂの経路履歴を用いることで、混雑しない道を推薦できる。
【００５３】
さらには、旅行者の利用者２６Ｃの経路履歴を用いることで、混雑する道を避けて目的地に行くことができる。
【００５４】
［変形例］
図７は、変形例に係るサーバ１０´を備えるＰＯＩ情報提供システム１２´の構成例を示している。
【００５５】
図７例では、地域２０Ａの家２４Ａに居住するターゲットユーザである利用者２６Ａが、旅行者として観光地域である地域２０Ｂまで旅行する往路を示している。
【００５６】
類似利用者選択部５２により利用者２６Ａに属性が類似するとされた、地域２０Ｃの利用者２６Ｃが、過去に地域２０Ｂを旅行した際の過去の経路１１９の履歴が立ち寄り料理店１１２のＰＯＩ情報を含んで、旅行者行動ＤＢ７４Ｃに格納されている。
【００５７】
また、利用者２６Ａに属性が類似する、地域２０Ｄの利用者２６Ｄが、過去に地域２０Ｂに旅行した際の過去の経路１２２の履歴が立ち寄り料理店１１４のＰＯＩ情報を含んで、旅行者行動ＤＢ７４Ｄ（不図示）に格納されている。
【００５８】
ここで、生活圏逸脱判定部９６が利用者２６Ａの車両１４Ａが地域２０Ａを逸脱したと判定した場合には、逸脱した直後のノード等の地点１２０の手前で、あるいは目的地として地域２０Ｂを設定していると判定した場合には、地域利用者選定部５４は、ＰＯＩ情報提供部７０を通じてＰＯＩ情報としての料理店１１２、１１４及び経路１１６、１１８を提供する。
【００５９】
このように変形例では、旅行者としての利用者２６Ａが、属性が類似する旅行者としての利用者２６Ｃ、２６Ｄの経路履歴を用いることで、属性が類似する利用者２６Ｃ、２６Ｄの立ち寄りＰＯＩ情報である、料理店１１２、１１４がリコメンドされるので、利用者２６Ａは、より好ましいと考える経路１１６、１１８を選択することができる。往路と復路で両方の料理店１１２、１１４を立ち寄りＰＯＩ情報として利用することもできる。
【００６０】
［実施形態及び変形例から把握し得る発明］
ここで、上記実施形態及び変形例から把握し得る発明について、以下に記載する。なお、理解の便宜のために構成要素には上記で（実施形態及び変形例で）用いた符号をかっこ書きで付けているが、該構成要素は、その符号をつけたものに限定されない。
【００６１】
この発明に係るサーバ（１０）は、
複数の車両（１４）に通信網（２２）を介して接続され前記車両（１４）の利用者（２６）にＰＯＩ情報を提供するサーバ（１０、１０´）において、
前記車両（１４）の訪問履歴に基づいて前記利用者（２６）の属性を設定する属性設定部（７５）と、
前記車両（１４）の走行履歴に基づき前記車両（１４）が生活圏内にいるか生活圏外にいるかを判定する生活圏内外判定部（９３）と、
ＰＯＩ情報提供部（７０）と、を備え、
前記ＰＯＩ情報提供部（７０）は、
前記生活圏内外判定部（９３）により前記車両（１４）が生活圏外にいると判定している場合に、前記属性設定部（７５）により設定された前記利用者（２６）の属性に類似した属性を持つ人が、前記生活圏外の地域の人である場合に、前記地域の人が車両（１４）で利用した前記生活圏外の地域のＰＯＩ情報を提供する。
【００６２】
この発明によれば、車両（１４）の利用者（２６）が、該利用者（２６）の生活圏外の人であって利用者（２６）の属性に類似した属性を持つ地域人（地元民）が利用したＰＯＩ情報をリコメンドとして受けることができる。
【００６３】
さらに、経路探索部（４３、１１７）を備え、
前記ＰＯＩ情報提供部（７０）は、
前記経路探索部（４３、１１７）により推奨経路が設定されていない場合に、前記地域の人が利用した前記ＰＯＩ情報を提供するようにしてもよい。
【００６４】
これによれば、推奨経路が設定されていない場合、すなわち、目的地が設定されていない場合でも、属性が類似した地域の人が利用したＰＯＩ情報が提供されるため、例えば自由きままなツーリングを行える。
【００６５】
さらに、経路探索部（４３、１１７）を備え、
前記経路探索部（４３、１１７）により前記利用者（２６）の前記車両（１４）に搭載されたナビゲーション装置（１６）に推奨経路が設定されていて前記利用者（２６）の車両（１４）が前記生活圏外にあって目的地に向かっている場合、
前記ＰＯＩ情報提供部（７０）は、
前記目的地を含む地域の人が車両（１４）で利用したＰＯＩ情報を、前記目的地を含む地域内で提供すると共に、前記目的地を含む地域に至る前の前記生活圏外の地域では、前記属性設定部（７５）により設定された前記利用者（２６）の属性に類似した属性を持つ他の利用者（２６）が、該利用者（２６）の車両（１４）で利用した前記目的地を含む地域外の前記生活圏外の地域で立ち寄ったＰＯＩ情報を提供するようにしてもよい。
【００６６】
このように、目的地を含む地域、例えば観光地域（２０Ｂ）では、属性の近い地域人（地元民）が利用したＰＯＩ情報が提供され、生活圏外であって、前記観光地域（２０Ｂ）に入る前は、属性が類似した利用者（２６）が立ち寄ったＰＯＩ情報が提供されるので、生活圏内から生活圏外にでた車両（１４）の利用者（２６）は、目的地に向かう生活圏外の全地域でＰＯＩ情報を得ることができる。
【００６７】
なお、この発明は、上述の実施形態に限らず、この明細書の記載内容に基づき、種々の構成を採り得ることはもちろんである。
【符号の説明】
【００６８】
１０、１０´…サーバ            １２、１２´…ＰＯＩ情報提供システム
１４…車両（自車両）            １７…ナビゲーション装置本体部
２６…利用者                    ７０…ＰＯＩ情報提供部
７５…属性設定部                ９３…生活圏内外判定部
【図１】
2020153919.tif 000003
【図２】
2020153919.tif 000004
【図３】
2020153919.tif 000005
【図４】
2020153919.tif 000006
【図５】
2020153919.tif 000007
【図６】
2020153919.tif 000008
【図７】
2020153919.tif 000009